(57)【要約】本発明は、脳造影図を行うためにユーザ１２の頭部上に位置決めされることが意図された取得デバイス１０に関する。デバイスは、ユーザ１２の脳波を表す少なくとも１つの脳活動信号を取得するために、国際１０−２０法の部位の少なくともいずれか１つにおいてユーザ１２の頭部と接触して位置決めされるように構成された少なくとも１つの取得電極３２、３４、３３、および取得電極３２、３４の位置を、それぞれ、第１および第２の面内で調節する少なくとも１つの第１（３６、３８、４０）および１つの第２（３６、３８、４０）の手段を備える。第１および第２の面は、異なり、ユーザ１２の頭部の横断Ｐｔおよび矢状Ｐｓ面から選ばれる。取得電極３２、３４、３３の位置を調節する第１および第２の手段を互いに独立して作動させることができる。本発明は、取得デバイス１０をユーザ１２の頭部上に位置決めするための方法にも関する。【選択図】図２
2020501625.tif 000002
【特許請求の範囲】
【請求項１】
脳造影図を行うためにユーザ（１２）の頭部上に位置決めされることが意図された取得デバイス（１０）であって、前記ユーザ（１２）の前記頭部は、横断面（Ｐｔ）、矢状面（Ｐｓ）、および前額面（Ｐｆ）において定義され、前記デバイスは、
−前記ユーザ（１２）の脳波を表す少なくとも１つの脳活動信号を取得するように、国際１０−２０法の部位の少なくともいずれか１つにおいて前記ユーザ（１２）の前記頭部と接触して位置決めされるために構成された少なくとも１つの取得電極（３２、３４、３３）と、
−前記取得電極（３２、３４、３３）の位置を、それぞれ、第１および第２の面内で調節する少なくとも１つの第１（３６、３８、４０）および１つの第２（３６、３８、４０）の手段と、
を備え、
前記第１および第２の面は、異なり、前記ユーザ（１２）の前記頭部の少なくとも前記横断（Ｐｔ）および矢状（Ｐｓ）面から選ばれ、
−前記取得電極（３２、３４、３３）の前記位置を調節する前記第１（３６、３８、４０）および第２（３６、３８、４０）の手段は、互いに独立して作動されることが可能である、
取得デバイス（１０）。
【請求項２】
前記デバイスは、
−後側支持部（１６）と、
−前記横断面（Ｐｔ）内で前記ユーザ（１２）の前記頭部の周りにしっかりフィットすることが意図された環状部分（１３）を形成するために前記後側支持部（１６）と係合することが可能な、および／または、前記矢状面（Ｐｓ）内で前記ユーザ（１２）の前記頭部の周りにしっかりフィットすることが意図されたアーチ形部分（１１）を形成するために前記後側支持部（１６）と協力することが可能な、前側支持部（１４）と、
−前記取得電極（３２、３４、３３）がその上に搭載された上側支持部（３０）であって、前記前側（１４）または後側（１６）支持部上に搭載された、上側支持部（３０）、
も備える、請求項１に記載の取得デバイス（１０）。
【請求項３】
前記ユーザ（１２）の前記頭部の前記横断（Ｐｔ）、矢状（Ｐｓ）および前額（Ｐｆ）面から選ばれた第３の面内で前記取得電極（３２、３４、３３）の前記位置を調節する第３の手段（３６、３８、４０）も備え、前記第１、第２および第３の面は、異なり、前記取得電極（３２、３４、３３）の前記位置を調節する前記第１（３６、３８、４０）、第２（３６、３８、４０）および第３（３６、３８、４０）の手段は、好ましくは、互いに独立して作動が可能である、請求項２に記載の取得デバイス（１０）。
【請求項４】
前記上側支持部（３０）は、前記後側支持部（１６）と組み合わされ、
−前記第１の調節手段（３６）は、前記取得電極（３２、３４、３３）を前記上側支持部（３０）に対して前記前額面（Ｐｆ）内に含まれる第１の方向に変位させることが可能であり、
−前記第２の調節手段（３８）は、前記前側支持部（１４）を前記後側支持部（１６）に対して前記矢状面（Ｐｓ）内に含まれる第２の方向に変位させることが可能であり、
−前記第３の調節手段（４０）は、前記前側支持部（１４）を前記後側支持部（１６）に対して前記横断面（Ｐｔ）内に含まれる第３の方向に変位させることが可能である、
請求項３に記載の取得デバイス（１０）。
【請求項５】
前記第１の調節手段（３６）は、前記上側支持部（３０）に形成された前額ハウジング中で、前記前額面（Ｐｆ）内に含まれる前記第１の方向に摺動することが可能なスライダ（４２、４４）を備え、前記少なくとも１つの取得電極（３２、３４）は、前記スライダ（４２、４４）上に搭載されている、請求項４に記載の取得デバイス（１０）。
【請求項６】
前記第２（３８）および第３（４０）の調節手段は、
−前記前側支持部（１４）上に形成されたロッド（５０、５４）、
−前記後側支持部（１６）に形成され、その中で前記ロッドが摺動することが可能なハウジング（５２）、および
−前記後側支持部（１６）上に搭載されて、前記前側支持部（１４）を前記後側支持部（１６）に対して変位させるように前記ロッド（５０、５４）を前記ハウジング（５２）の内部で摺動させるために前記ロッド（５０、５４）と協力することが可能な、前記ロッド（５０、５４）の位置を調節する直接的または間接的手段（５３、６２）、
を備える、請求項４または５に記載の取得デバイス（１０）。
【請求項７】
前記第２（３８）および第３（４０）の調節手段は、それぞれ、前記ロッド（５０、５４）上または前記直接的もしくは間接的調節手段（５３、６２）上に形成された少なくとも１つの突出部および少なくとも１つの凹部を備え、前記突出部および前記凹部は、前記ロッド（５０、５４）を前記ハウジング（５２）に対して所定の位置に保持するために互いに協力することが可能である、請求項４〜６のいずれか一項に記載の取得デバイス（１０）。
【請求項８】
国際１０−２０法の、それぞれ、部位Ｃ３、Ｃ４および／またはＣｚのうちの１つにおいて前記ユーザ（１２）の前記頭部と接触して位置決めされるように構成された第１の取得電極（３２）、および／または第２の取得電極（３４）および／または第３の取得電極（３３）を備え、前記第１の取得電極（３２）、および／または第２の取得電極（３４）および／または第３の取得電極（３３）は、前記上側支持部（３０）上に搭載される、請求項２〜７のいずれか一項に記載の取得デバイス（１０）。
【請求項９】
国際１０−２０法の部位ＣＰｚにおいて前記ユーザ（１２）の前記頭部と接触して位置決めされるように構成された取得電極、および／または国際１０−２０法の部位ＦＴ７において前記ユーザ（１２）の前記頭部と接触して位置決めされるように構成された取得電極も備える、請求項８に記載の取得デバイス（１０）。
【請求項１０】
国際１０−２０法の部位Ｔ３において前記ユーザ（１２）の前記頭部と接触して位置決めされるように構成された取得電極、および／または国際１０−２０法の部位Ｔ４において前記ユーザ（１２）の前記頭部と接触して位置決めされるように構成された取得電極も備える、請求項８に記載の取得デバイス（１０）。
【請求項１１】
前記前側支持部（１４）は、前記取得デバイス（１０）が前記ユーザ（１２）の前記頭部上に配置されたときに前記ユーザ（１２）の耳に掛かるように構成された支え部分（４６）を備える、請求項２〜１０のいずれか一項に記載の取得デバイス（１０）。
【請求項１２】
前記支え部分（４６）は、前記ユーザ（１２）の前記頭部と接触して、好ましくは、前記ユーザ（１２）の乳様突起のうちの１つに対向して位置決めされるように構成された少なくとも１つの基準電極を備える、請求項１１に記載の取得デバイス（１０）。
【請求項１３】
前記上側支持部（３０）は、前記後側支持部（１６）上に搭載され、前記後側支持部（１６）は、前記後側支持部（１６）の基準位置を示すことが可能なくぼみ（４８）を備え、前記くぼみ（４８）は、好ましくは、前記ユーザ（１２）の前記頭部の外後頭隆起に対向して、好ましくはイニオンに配置されるように構成されている、請求項２〜１２のいずれか一項に記載の取得デバイス（１０）。
【請求項１４】
前記デバイスは、
−前記少なくとも１つの取得電極（３２、３４、３３）および前記少なくとも１つの基準電極によって送信された情報を処理するために前記少なくとも１つの取得電極（３２、３４、３３）に、および適切であれば前記少なくとも１つの基準電極に、接続された処理ユニットと、
−前記処理ユニットによって処理された前記情報の前記送信のためのユニット、
も備える、請求項２〜１３のいずれか一項に記載の取得デバイス（１０）。
【請求項１５】
脳造影図を行うために取得デバイス（１０）をユーザ（１２）の頭部上に位置決めするための方法であって、前記ユーザ（１２）の前記頭部は、横断面（Ｐｔ）、矢状面（Ｐｓ）および前額面（Ｐｆ）において定義され、前記方法は、
−請求項３〜１４のいずれか一項に記載の取得デバイス（１０）を提供するステップと、
−前記取得デバイス（１０）を前記ユーザ（１２）の前記頭部上に配置するステップと、
−前記ユーザ（１２）の前記頭部の周りにしっかりフィットするために第３の調節手段（４０）を作動させるステップと、
−前記上側支持部（３０）を前記前側横断部分（２２）の遠位端および前記後側横断部分（２４）の遠位端から等距離に置くように前記第２の調節手段（３８）を作動させるステップと、
−前記少なくとも１つの取得電極（３２、３４、３３）の前記位置を前記前額面（Ｐｆ）内で調節するために前記第１の調節手段（３６）を作動させるステップと、
からなる複数のステップを含み、
前記第１（３６、３８、４０）および第２（３６、３８、４０）の調節手段を作動させる前記ステップは、独立して行われる、
方法。
【請求項１６】
−それぞれ、前記第１（３６、３８、４０）および第２（３６、３８、４０）の調節手段の第１および第２の調節位置を判定するステップと、
−前記第１および第２の調節位置を記憶するステップと、
−前記第１および第２の調節位置とは異なる調節位置にそれらを位置決めするために前記第１（３６、３８、４０）および第２（３６、３８、４０）の調節手段を作動させるステップと、
−前記取得デバイス（１０）を前記ユーザ（１２）の前記頭部から取り外すステップと、
−前記取得デバイス（１０）を前記ユーザ（１２）の前記頭部上で交換するステップと、
−前記第１および第２の調節位置に従ってそれらを位置決めするために前記第１（３６、３８、４０）および第２（３６、３８、４０）の調節手段を作動させるステップと、
からなる複数のステップも含む、請求項１５に記載の位置決め方法。
【請求項１７】
前記取得デバイス（１０）は、請求項４、１１および１３と組み合わせた請求項２〜１４のいずれか一項に記載の取得デバイス（１０）であり、前記取得デバイス（１０）を前記ユーザ（１２）の前記頭部上に配置することからなる前記ステップは、
−前記横断面（Ｐｔ）内で考慮された、前記ユーザ（１２）の前記頭部の最大周囲長以上の周囲長をアーチ型部分（１１）が有するように、前側支持部（１４）を前記後側支持部（１６）に対して変位させるステップと、
−前記支え部分（４６）が前記ユーザ（１２）の耳に掛かるように前記取得デバイス（１０）を前記ユーザ（１２）の前記頭部上に位置決めするステップと、
−前記後側支持部（１６）のくぼみ（４８）が前記ユーザ（１２）の前記頭部の外後頭隆起に対向するように前記取得デバイス（１０）を前記ユーザ（１２）の前記頭部上に位置決めするステップと、
からなる複数のステップを含む、請求項１５または１６に記載の位置決め方法。
【発明の詳細な説明】
【技術分野】
【０００１】
本発明は、特に、ユーザの睡眠、多動性障害、片頭痛関連障害、記憶障害、認知障害などの特徴付けおよび／または処置を許容するため、脳活動信号を取得するようにユーザの頭部上に位置決めされることが意図された、脳造影図を取得するためのデバイスに関する。本発明は、ユーザ自身によって随意的に操作される、かかる取得デバイスをユーザの頭部上に位置決めするための方法にも関する。
【背景技術】
【０００２】
このように、特に、個人の睡眠を特徴付けるために、「睡眠紡錘波」を同定することが知られている。睡眠紡錘波は、概して９および１６Ｈｚの間に含まれる周波数（非特許文献１）ならびに２５〜１５０マイクロボルトに及ぶ振幅をもつ電気的脳活動信号である。低周波数および高周波数の睡眠紡錘波が見られ、これらは可変的で各個人に固有である。睡眠紡錘波は、概して０．５および２秒の間持続し、網様体−視床−皮質系の活動の産物である。高密度の睡眠紡錘波の生成が効果的な睡眠と関連付けられることが実証されている。
【０００３】
睡眠紡錘波の同定は、脳活動信号をユーザの頭部上の固有の部位で、特に、国際１０−２０法によって定義された部位Ｃ３、Ｃ４および／またはＣｚにおいて取得することによって可能である（特に、特許文献１参照）。
【０００４】
国際１０−２０法は、特に、特許文献１において言及される。図１（ｔｈｅ  ｍｏｄｉｆｉｅｄ  ｃｏｍｂｉｎａｔｏｒｉａｌ  ｎｏｍｅｎｃｌａｔｕｒｅ  ｇｕｉｄｅｌｉｎｅｓ  Ｎｏ．  ５：非特許文献２による）に示される、このシステムは、結局、脳波図を行う状況でヒト頭蓋の表面における少なくとも１つの電極の可能な位置決めを確認するための国際的に認められた方法である。このシステムでは、このように各電極が脳の主要領域に関してその部位をコードする文字、および大脳半球を定義する番号、または文字ｚによって同定される（非特許文献３）：
・文字Ｆ、Ｔ、Ｃ、ＰおよびＯは、それぞれ、前頭、側頭、中頭、頭頂および後頭領域を示し、
・偶数（２、４、６、８）は、右半球に対応し、
・奇数（１、３、５、７）は、左半球に対応し、
・文字ｚは、正中線上に位置する電極を示す。
図１は、従って、国際１０−２０法の種々の部位を示す。
【０００５】
別の潜在的用途は、多動ありまたはなしの注意欠陥障害（ＡＤＨＤ：ａｔｔｅｎｔｉｏｎ  ｄｅｆｉｃｉｔ  ｄｉｓｏｒｄｅｒ，  ｗｉｔｈ  ｏｒ  ｗｉｔｈｏｕｔ  ｈｙｐｅｒａｃｔｉｖｉｔｙ）に関する。この用途では、脳活動信号の取得が国際１０−２０法の部位Ｃ３、Ｃ４および／またはＣｚ（随意的に、および／またはＣＰｚおよび／またはＦＣｚ）において等しくよく生じうる。
【０００６】
さらに別の用途に関しては、これは、特にアルツハイマー病の状況における記憶障害に関する。この用途では、脳活動信号それ自体の取得を国際１０−２０法の部位Ｃ３、Ｃ４、Ｔ７および／またはＴ８において行うことができ、位置Ｔ７およびＴ８は、この国際１０−２０法の以前の簡略化された命名法による部位Ｔ３およびＴ４にそれぞれ対応する。真摯に考慮される変形例は、国際１０−２０法の部位Ｃ３、Ｃ４、ＣＰｚおよび／またはＦＴ７におけるこれらの脳活動信号の取得からなり得る。
【０００７】
複数の電極が装備されたヘッドセットをユーザの頭部上に配置することによって脳活動信号の取得を行うことも知られている。例として、特許文献２は、電極が搭載されたキャップに関わる。キャップは、異なるサイズおよび形状の頭部にそれが適合し得るように伸縮性ファブリックで製造される。
【０００８】
しかしながら、このキャップの主要な欠点は、電極が自ら枢動する傾向を有するためにユーザの頭皮に対する位置決めが不十分であり、取得を不満足にするということである。
【０００９】
取得ヘッドセットの別の例は、特許文献３に記載され、この例では、ヘッドセットは、ユーザの頭部の周りにしっかりフィットする非伸張性バンドによって形成されたアーマチュアを備える。電極は、これらの非伸張性バンド上に搭載される。異なる頭部形状にヘッドセットが適合することを許容すべく、非伸張性バンドを互いに遠ざけ、または分離できるようにするために伸張性バンドがいくつかの非伸張性バンドの間に配置される。加えて、電極をユーザの頭皮に対して確実に保持するために電極の間に弾性要素が配置される。
【００１０】
しかしながら、このヘッドセットの主な欠点は、ユーザの頭部形状に対するヘッドセットの全体的な調節を許容するに過ぎないということである。確かに、伸張性バンドは、ヘッドセットがユーザの頭部に適合し、延いては電極間の距離の修正を許容する局所的な自由度を提供する。しかしながら、このヘッドセットは、電極の各々の固有の位置を知ってそれを定量化することを可能にしない。結果として、その後にこのヘッドセットを全く同じユーザに用いても、ユーザの形態に適した位置に電極が置かれることは保証されない。電極をユーザに適した所定の位置に配置する能力の欠如は、特に、被験者が、外部の助けなしに、単独で前記電極を配置しようとする場合に電極の不十分な位置決めのリスクを増加させる。加えて、ヘッドセットの位置決めが複雑で時間がかかる。
【００１１】
最後に、特許文献４もユーザの頭部の周りにしっかりフィットするためにその周りに延びることが意図された複数の支持バンドおよび支持バンド上に搭載された複数の電極を備える、脳活動信号を収集するためのヘッドセットに関わる。このヘッドセットは、支持バンドのうちのいくつかの間に延びて、電極のうちの１つ以上を摺動的に通過する一連の線も備える。電極をユーザの頭部に対して確実に保持するために、支持バンドを分離して距離を増減できるようにこれらの線に調節要素が連結される。ユーザの頭部に対する電極の確実な保持を改善するために、これらの支持バンドおよび線を弾性にすることができる。
【００１２】
しかしながら、このヘッドセットでは、ユーザの頭部の形態への適合が全体的に実施され、電極の位置の固有かつ定量可能な調節の可能性を許容しないので、前述のヘッドセットと同じ欠点を有する。
【００１３】
それゆえに、特に、異なる形態を有するユーザの頭部上の所定の部位に電極を容易に位置決めできるようにすることによってユーザの頭部上の電極の位置決めを改善した、脳活動信号を取得するためのデバイスに対するニーズがある。
【先行技術文献】
【特許文献】
【００１４】
【特許文献１】国際公開第２００９／０６１９２０（Ａ１）号
【特許文献２】米国特許第４，９６７，０３８号
【特許文献３】国際公開第２００９／０４５４０７（Ａ１）号
【特許文献４】国際公開第２０１５／１５３２７８（Ａ１）号
【非特許文献】
【００１５】
【非特許文献１】Ｍｏｌｌｅ  ｅｔ  ａｌ．，２０１１
【非特許文献２】Ｇｕｉｄｅｌｉｎｅｓ  ｆｏｒ  Ｓｔａｎｄａｒｄ  Ｅｌｅｃｔｒｏｄｅ  Ｐｏｓｉｔｉｏｎ  Ｎｏｍｅｎｃｌａｔｕｒｅ，  Ａｍｅｒｉｃａｎ  Ｃｌｉｎｉｃａｌ  Ｎｅｕｒｏｐｈｙｓｉｏｌｏｇｙ  Ｓｏｃｉｅｔｙ，  ２００６
【非特許文献３】Ｊａｓｐｅｒ，１９５８
【発明の概要】
【課題を解決するための手段】
【００１６】
この目的に向けて、本発明は、脳造影図を行うためにユーザの頭部上に位置決めされることが意図された取得デバイスを提案し、ユーザの頭部は、横断面、矢状面および前額面において定義され、デバイスは、
−ユーザの脳波を表す少なくとも１つの脳活動信号を取得するために、国際１０−２０法の部位の少なくとも１つにおいてユーザの頭部と接触して位置決めされるように構成された少なくとも１つの取得電極と、
−取得電極の位置を、それぞれ、第１および第２の面内で調節する少なくとも１つの第１の手段および１つの第２の手段と、
を備え、
第１および第２の面は、異なり、ユーザの頭部の少なくとも横断面および矢状面から選ばれ、
−取得電極の位置を調節する前記第１および第２の手段は、互いに独立して作動されることが可能である。
【００１７】
デバイスの或る実施形態によれば、後者は、
−後側支持部と、
−横断面内でユーザの頭部の周りにしっかりフィットすることが意図された環状部分を形成するために後側支持部と係合することが可能か、および／または矢状面内でユーザの頭部の周りにしっかりフィットすることが意図されたアーチ形部分を形成するために後側支持部と係合することが可能な前側支持部と、
−取得電極がその上に搭載された上側支持部であって、前側または後側支持部上に搭載された上側支持部、
も備える。
【００１８】
デバイスの別の実施形態によれば、デバイスは、取得電極の位置をユーザの頭部の横断、矢状および前額面から選ばれた第３の面内で調節する第３の手段も備え、第１、第２および第３の面は、異なり、取得電極の位置を調節する第１、第２および第３の手段は、好ましくは、互いに独立して作動が可能である。
【００１９】
デバイスの別の実施形態によれば、上側支持部は、後側支持部と組み合わされており、
−第１の調節手段は、取得電極を上側支持部に対して前額面内に含まれる第１の方向に変位させることが可能であり、
−第２の調節手段は、前側支持部を後側支持部に対して矢状面内に含まれる第２の方向に変位させることが可能であり、
−第３の調節手段は、前側支持部を後側支持部に対して横断面内に含まれる第３の方向に変位させることが可能である。
【００２０】
デバイスの別の実施形態によれば、第１の調節手段は、上側支持部に形成された前額ハウジング中で、前額面内に含まれる第１の方向に摺動することが可能なスライダを備え、少なくとも１つの取得電極は、スライダ上に搭載される。
【００２１】
デバイスの別の実施形態によれば、第２および第３の調節手段は、
−前側支持部上に形成されたロッド、
−後側支持部に形成され、その中でロッドが摺動することが可能なハウジング、および
−後側支持部上に搭載されて、前側支持部を後側支持部に対して変位させるようにロッドをハウジングの内部で摺動させるためにロッドと協力することが可能なロッドの位置を調節する直接的または間接的手段、
を備える。
【００２２】
デバイスの別の実施形態によれば、第２および第３の調節手段は、それぞれ、ロッドまたは直接もしくは間接調節手段上に形成された少なくとも１つの突出部および少なくとも１つの凹部を備え、突出部および凹部は、ロッドをハウジングに対して所定の位置に保持するために互いに協力することが可能である。
【００２３】
デバイスの別の実施形態によれば、デバイスは、それぞれ、国際１０−２０法の部位Ｃ３、Ｃ４および／またはＣｚのうちの１つにおいてユーザの頭部と接触して位置決めされるように構成された、第１、および／または第２および／または第３の取得電極を備え、第１、および／または第２および／または第３の取得電極は、上側支持部上に搭載される。
【００２４】
デバイスは、国際１０−２０法の部位ＣＰｚにおいてユーザの頭部と接触して位置決めされるように構成された取得電極、および／または国際１０−２０法の部位ＦＴ７においてユーザの頭部と接触して位置決めされるように構成された取得電極も備えることができる。
【００２５】
代わりに、デバイスは、国際１０−２０法の部位Ｔ７においてユーザの頭部と接触して位置決めされるように構成された取得電極、および／または国際１０−２０法の部位Ｔ８においてユーザの頭部と接触して位置決めされるように構成された取得電極を備えることもできる。
【００２６】
デバイスの別の実施形態によれば、前側支持部は、取得デバイスがユーザの頭部上に配置されたときにユーザの耳に掛かるように構成された支え部分を備える。
【００２７】
デバイスの別の実施形態によれば、支え部分は、ユーザの頭部と接触して、好ましくは、ユーザの乳様突起のうちの１つに対向して位置決めされるように構成された少なくとも１つの基準電極を備える。
【００２８】
デバイスの別の実施形態によれば、上側支持部は、後側支持部上に搭載されて、後側支持部は、後側支持部の基準位置を示すことが可能なくぼみを備え、くぼみは、好ましくは、ユーザの頭部の外後頭隆起に対向して、好ましくはイニオンに配置されるように構成される。
【００２９】
別の実施形態によれば、デバイスは、
−少なくとも１つの取得電極および少なくとも１つの基準電極によって送信された情報を処理するために少なくとも１つの取得電極、ならびに適切であれば、少なくとも１つの基準電極に接続された処理ユニットと、
−処理ユニットによって処理された情報の送信のためのユニット、
も備える。
【００３０】
加えて、本発明は、脳造影図を行うために取得デバイスをユーザの頭部上に位置決めするための方法にも関し、ユーザの頭部は、横断面、矢状面および前額面において定義され、方法は、
−上記のような取得デバイスを提供するステップと、
−取得デバイスをユーザの頭部上に配置するステップと、
−ユーザの頭部の周りにしっかりフィットするために第３の調節手段を作動させるステップと、
−上側支持部を前側横断部分の遠位端から、および後側横断部分の遠位端から等距離に置くように第２の調節手段を作動させるステップと、
−少なくとも１つの取得電極の位置を前額面内で調節するために第１の調節手段を作動させるステップと、
からなる複数のステップを含み、
第１および第２の調節手段を作動させるステップは、独立して行われる。
【００３１】
方法の或る実施形態によれば、後者は、
−それぞれ、第１および第２の調節手段の第１および第２の調節位置を判定するステップと、
−第１および第２の調節位置を記憶するステップと、
−第１および第２の調節位置とは異なる調節位置にそれらを位置決めするために第１および第２の調節手段を作動させるステップと、
−取得デバイスをユーザの頭部から取り外すステップと、
−取得デバイスをユーザの頭部上で交換するステップと、
−第１および第２の調節位置にそれらを配置するように第１および第２の調節手段を作動させるステップと、
からなる複数のステップも含む。
【００３２】
方法の別の実施形態によれば、取得デバイスは、上記のような取得デバイスであり、取得デバイスをユーザの頭部上に配置することからなるステップは、
−横断面内で考慮された、ユーザの頭部の最大周囲長以上の周囲長を環状部分が有するように、前側支持部を後側支持部に対して変位させるステップと、
−支え部分がユーザの耳に掛かるように取得デバイスをユーザの頭部上に位置決めするステップと、
−後側支持部の凹部がユーザの頭部の外後頭隆起に対向するように取得デバイスをユーザの頭部上に位置決めするステップと、
からなる複数のステップを含む。
【００３３】
本発明の他の特性および利点は、例として与えられる本発明の好ましい実施形態の以下の記載を、添付図面を参照して読んだ際に明らかになるであろう。
【図面の簡単な説明】
【００３４】
【図１】先述のように、国際１０−２０法における部位を図式的に示す。
【図２】ユーザの頭部上に配置された脳活動信号を取得するためのデバイス例の斜視図を、このユーザの睡眠障害を研究する状況内で、図式的に示す。
【図３】ユーザの頭部上に配置された脳活動信号を取得するためのデバイス例の斜視図を、このユーザの睡眠障害を研究する状況内で、図式的に示す。
【図４】ユーザの頭部上に配置された脳活動信号を取得するためのデバイス例の斜視図を、このユーザの睡眠障害を研究する状況内で、図式的に示す。
【図５】図２〜４における取得デバイスによって実施される、睡眠を特徴付けるための方法を説明する図を示す。
【発明を実施するための形態】
【００３５】
図２を参照すると、ユーザ１２の脳波を表す脳活動信号を取得するために、ユーザ１２の頭部上に配置されることが意図された、取得デバイス１０が提案されている。これらの脳活動信号は、特に、脳造影図を生成することを可能にする。ユーザ１２の頭部は、ｏｒｔｈｏｎｏｍｉｃ基準フレームを形成する横断面Ｐｔ、矢状面Ｐｓおよび前額面Ｐｆにおいて定義される。代わりに、ユーザ１２の頭部を面の任意の組み合わせまたは任意の基準フレームによって定義することも可能である。
【００３６】
取得デバイス１０は、とりわけ、睡眠紡錘波、または他の所望の波をその後に同定することを可能にする脳活動信号を取得することが意図される。この目的に向けて、取得デバイス１０は、例えば、９および１６Ｈｚの間に含まれる周波数、１５μＶより大きい振幅、ならびに０．５秒および２秒の間に含まれる周期を有する信号のみを、フィルタを介して、首尾よく収集するために、Ｃ３、Ｃ４またはＣｚにおける電極のうちの少なくとも１つの配置に対向して取り込むことができるすべての脳活動信号を取得することを可能にする。もちろん、特に、ユーザにおける任意の多動性障害または片頭痛と関連する障害を特徴付けるために、上記以外の周波数、振幅および周期を有する他の信号を収集することも同様に可能である。従って、仏国特許出願第１５５６４２１号（Ｕｒｇｏｔｅｃｈ）に記載されるような睡眠を特徴付けるためのデバイスまたはシステムとして、または本明細書において以下に同様に提案される睡眠を特徴付けるための方法において、取得デバイス１０を用いることができる。
【００３７】
取得デバイス１０は、ユーザ１２の頭部上に載るかまたは保持されることが可能なヘッドセットの形をしている。取得デバイス１０は、ユーザ１２の頭部の周りにしっかりフィットするためにユーザ１２の頭部上でアーチ形部分１１の形をして矢状面Ｐｓ内に延び、ユーザ１２の頭部の周りには環状部分１３、または王冠の形をして延びる。取得デバイス１０をユーザ１２の頭部上に載せることができるようにアーチ形部分１１がその端部で環状部分１３に接続される。
【００３８】
環状部分１３およびアーチ形部分１１の代わりとして、取得デバイス１０をユーザ１２の頭部上に保持できるようにする他の任意の幾何学的形状を用いることができる。特に、取得デバイス１０は、矢状面Ｐｓに対して平行かまたは角度がずれた面内に延びる１つ以上のアーチ形部分１１を備えることができる。加えて、環状部分１３は、取得デバイス１０をユーザ１２の頭部上に保持できるようにすると同時に、不連続であるかまたはユーザ１２の頭部を部分的に囲むことができる。同様に、アーチ形部分１１は、不連続であるかまたはユーザ１２の頭部を部分的に囲むことができる。
【００３９】
脳活動信号の取得を許容するために、取得デバイス１０は、国際１０−２０法の、それぞれ、部位Ｃ３、Ｃ４およびＣｚに位置決めされることが意図された第１の取得電極３２、第２の取得電極３４または第３の取得電極３３の少なくとも１つを備えることができる。これらの部位Ｃ３、Ｃ４、およびＣｚにおいて、第１の取得電極３２、第２の取得電極３４および第３の取得電極３３は、単独または組み合わせで、特に、睡眠紡錘波を同定できるようにする脳活動信号を取得するのに適する。第１の取得電極３２、第２の取得電極３４および第３の取得電極３３の位置決めを容易にするために、後者がユーザ１２の頭頂部を囲むアーチ形部分１１上に搭載される。代わりに、第１の取得電極３２、第２の取得電極３４、および第３の取得電極３３から選ばれた単一の取得電極のみを取得デバイス１０に提供できる。
【００４０】
加えて、取得デバイス１０は、第１の取得電極３２、第２の取得電極３４、および第３の取得電極３３を用いて取得された脳活動信号について基準測定を実施できるようにする基準電極を備えることができる。この基準電極は、好ましくは、ユーザ１２の乳様突起のうちの１つに対向して位置決めされる。加えて、取得デバイス１０は、取得デバイス１０を接地できるようにする受動電極（図示されない）を備えることができる。この受動電極も、好ましくは、ユーザ１２の乳様突起のうちの１つに対向して、例えば、基準電極が配置された以外の乳様突起に対向して配置される。代わりに、第１の取得電極３２、第２の取得電極３４および／または第３の取得電極３３は、取得デバイス１０が基準電極および／または接地電極なしで済ますことを許容するために基準および／または接地機能を組み合わせることもできる。
【００４１】
第１の取得電極３２、第２の取得電極３４および第３の取得電極３３、受動電極および基準電極は、乾式、湿式、半乾式電極または半湿式電極とすることもできる。各タイプの電極は、特定の異なる性質を有することができる。
【００４２】
異なる頭部形態を有するユーザ１２のために部位Ｃ３、Ｃ４およびＣｚにおける第１の取得電極３２、第２の取得電極３４および第３の取得電極３３の満足のいく位置決めを確実にするために、取得デバイス１０は、第１の取得電極３２、第２の取得電極３４および第３の取得電極３３の位置を調節する第１（３６、３８、４０）および第２（３６、３８、４０）の手段を備える。このように、第１の取得電極３２、第２の取得電極３４および第３の取得電極３３の調節可能な位置決めを許容することによって、取得デバイス１０は、異なる頭部形態を有するユーザ１２について脳活動信号の満足のいく取得を確実にする。これは、例えば、ユーザの年齢が異なる場合である。
【００４３】
第１の取得電極３２、第２の取得電極３４および第３の取得電極３３の２軸の位置決めを許容するために、第１（３６、３８、４０）および第２（３６、３８、４０）の調節手段は、ユーザ１２の少なくとも横断Ｐｔおよび矢状Ｐｓ面から選ばれた第１および第２の異なる面内における第１の取得電極３２、第２の取得電極３４および第３の取得電極３３の調節を許容する。従って、異なる頭部形態を有するユーザ１２について取得デバイス１０が脳活動信号の満足のいく取得を確実にすることができるので、第１の取得電極３２、第２の取得電極３４および第３の取得電極３３の位置決めと関連する利点が改善される。
【００４４】
加えて、第１の取得電極３２、第２の取得電極３４および第３の取得電極３３の位置決めを簡易にするために、第１（３６、３８、４０）および第２（３６、３８、４０）の調節手段を互いに独立して作動させることができる。第１（３６、３８、４０）および第２（３６、３８、４０）の調節手段の独立した作動は、第１（３６、３８、４０）および第２（３６、３８、４０）の調節手段と結合された第１の取得電極３２、第２の取得電極３４および第３の取得電極３３の移動を分離することを可能にする。従って、第１（３６、３８、４０）および第２（３６、３８、４０）の調節手段が異なる面内における調節を許容するという事実と相俟って、前額Ｐｆ、横断Ｐｔおよび矢状Ｐｓ面からの２つの面内で第１の取得電極３２、第２の取得電極３４および第３の取得電極３３の変位を分離することが可能である。言い換えれば、第１の取得電極３２、第２の取得電極３４および第３の取得電極３３を横断Ｐｔ、矢状Ｐｓおよび前額Ｐｆ面からの１つにおいて選択的に変位させることが可能である。加えて、この分離は、目標とする、例えば、特許文献４のように取得電極の変位が組み合わされる取得デバイスにおけるより、さらに正確な第１の取得電極３２、第２の取得電極３４および第３の取得電極３３の位置決めを得ることを可能にする。加えて、第１の取得電極３２、第２の取得電極３４および第３の取得電極３３の位置決めの分離は、前額Ｐｆ、横断Ｐｔおよび矢状Ｐｓ面のうちの２つにおける第１の取得電極３２、第２の取得電極３４および第３の取得電極３３の位置の定量化を許容し、従って、第１の取得電極３２、第２の取得電極３４および第３の取得電極３３の簡易かつ迅速な繰り返しを許容する。
【００４５】
取得デバイス１０の簡易性と第１の取得電極３２、第２の取得電極３４および第３の取得電極３３の満足のいく位置決めとの間の満足のいく妥協を得るために、第１の調節手段３６が第１の取得電極３２および第２の取得電極３４の位置を調節することが可能な第１の面は、前額面Ｐｆである。第１の調節手段３６が第１の取得電極３２、第２の取得電極３４の位置を調節することが可能な第２の面は、横断Ｐｆおよび矢状Ｐｓ面から選ばれる。このような方法で、取得デバイス１０は、特に、第２の調節手段３８の助けを借りて、第１の取得電極３２および第２の取得電極３４を前額面ｐｆ内にアラインさせるようにそれらを位置決めすることが可能である。第１の調節手段３６は、従って、第１の取得電極３２および第２の取得電極３４の位置の前額面ｐｆ内における調節を許容する。この場合に、取得デバイス１０がユーザ１２の頭部上に配置されるように取得デバイス１０を用いることができる。第２の調節手段３８は、ユーザ１２の頭部を把持するために作動される。次に、第１の調節手段３６が第１の取得電極３２および第２の取得電極３４の位置を前額面Ｐｆ内で調節するために作動される。
【００４６】
取得デバイス１０がさらに広範囲の異なる形態および年齢に適合することを許容するために、取得デバイス１０は、第１および第２の面と異なる、第３の面内における第１の取得電極３２および第２の取得電極３４の位置の第３の調節手段４０を備えることができる。この場合に、第１の取得電極３２および第２の取得電極３４の位置を前額Ｐｆ、横断Ｐｔおよび矢状Ｐｓ面の各々において調節できる。加えて、第１の取得電極３２および第２の取得電極３４の別々の移動を許容するため、延いてはそれらの位置決めを簡易にするために、第１の調節手段３６、第２の調節手段３８および第３の調節手段４０を独立して作動させることができる。第３の調節手段４０の追加は、改善された仕方で上述の第１および第２の調節手段と関連する利点を得ることを可能にする。例として、図２および図４に提示され、第１の調節手段３６、第２の調節手段３８および第３の調節手段４０を備える取得デバイス１０は、６歳のユーザから成人ユーザに及ぶ形態への適合が可能である。
【００４７】
第１の取得電極３２、第２の取得電極３４および第３の取得電極３３の位置決めの繰り返しを容易にするために、取得デバイス１０は、堅いヘッドセットの形をしている。堅いが意味するのは、ヘッドセットがユーザ１２の頭部上にあるか否かに係わらず、第１の調節手段３６、第２の調節手段３８および第３の調節手段４０のうちの１つ以上を作動させることによってのみ、第１の取得電極３２、第２の取得電極３４および第３の取得電極３３の位置を環状１３およびアーチ形１１の部分に対して修正できるようにヘッドセットが構成されるという事実である。第１の取得電極３２、第２の取得電極３４および第３の取得電極３３の位置決めは、それゆえに、ユーザ１２がヘッドセットを装着しているかどうかには依存しない。ヘッドセットが堅いことは、結果として、ヘッドセットがユーザ１２の頭部上に配置されていないときでも、第１の取得電極３２、第２の取得電極３４および第３の取得電極３３の矢状Ｐｓ、横断Ｐｔおよび前額Ｐｆ面内における位置決めを、部分的または全体的に、維持することを可能にする。比較として、特許文献４では、電極の位置がユーザによって装着されるヘッドセットに依存することから、ユーザによるヘッドセットの取り外しが電極の位置を必然的に失わせるので、この文献に記載されるヘッドセットを、本記載の意味の範囲内で、堅いヘッドセットと考えることはできない。
【００４８】
図２〜図４に記載される実施形態において、取得デバイス１０は、上記の環状部分１３およびアーチ形部分１１を形成するために一緒に連結された前側支持部１４および後側支持部１６を備える。特に、前側支持部１４は、アーチ形部分１１を形成するために矢状面Ｐｓ内に延びて後側支持部１６の後側矢状部分２０と再びつながる前側矢状部分１８を備える。同様に、前側支持部１４は、環状部分１３を形成するために後部支持部１６の後側横断部分２４（図３参照）に連結された前側横断部分２２を備える。
【００４９】
取得デバイス１０は、アーチ形部分１１と結合された上側支持部３０も備える。上側支持部３０は、アーチ形部分１１の両側において前額面Ｐｆ内に延びる。言い換えれば、上側支持部３０は、ユーザ１２の頭頂部上に配置されるようにアーチ形部分１１と結合される。特に、上側支持部３０は、後側矢状部分２０の高さで、後側支持部１６と結合される。取得デバイス１０が部位Ｃｚに位置決めされることが意図された第３の取得電極３３を備えるときに、この第３の取得電極は、ユーザ１２の頭部に対向するように上側支持部３０の下にある。
【００５０】
図２〜図４に提示される取得デバイス１０の実施形態は、ユーザ１２の頭部の前額Ｐｆ、横断Ｐｔおよび矢状Ｐｓの３つの面に沿った簡易な幾何学的形状を有する。実際に、取得デバイス１０は、横断面Ｐｔ内に延びる環状部分１３、矢状面Ｐｓ内に延びるアーチ形部分１１、および前額面Ｐｆ内に延びる上側支持部３０によって形成される。取得デバイス１０の構成は、それゆえに、第１の取得電極３２、第２の取得電極３４および第３の取得電極３３の位置の調節手段の集積化を容易にする。確かに、前額Ｐｆ、横断Ｐｔおよび矢状Ｐｓの３つの面におけるこの幾何学的形状の結果として、第１の取得電極３２、第２の取得電極３４および第３の取得電極３３の位置を、寸法を変化させることによって、または上側支持部３０を前額面Ｐｆ内に含まれる方向に、アーチ形部分１１を矢状面Ｐｓ内に含まれる方向に、および環状部分１３を横断面Ｐｔ内に含まれる方向に変位させることによって、変えることが可能である。
【００５１】
取得デバイス１０は、第１の取得電極３２、第２の取得電極３４および第３の取得電極３３の第１の調節手段３６のすべてまたは一部を構成する第１のスライダ４２および第２のスライダ４４も備える。第１のスライダ４２および第２のスライダ４４は、アーチ形部分１１の両側において上側支持部３０上の前額ハウジング中に搭載される。第１の取得電極３２、第２の取得電極３４および第３の取得電極３３は、ユーザ１２の頭部と接触して、それぞれ、部位Ｃ３、Ｃ４およびＣｚに位置決めされるように第１のスライダ４２および第２のスライダ４４上に搭載される。加えて、第１の取得電極３２、第２の取得電極３４および第３の取得電極３３の位置を前額面Ｐｆ内で調節できるように、第１のスライダ４２および第２のスライダ４４を支持部３０に対して前額面Ｐｆ内に含まれた方向に変位させることができる。第１のスライダ４２および第２のスライダ４４の変位は、手動で実施できる。より正確かつ定量可能な位置決めを許容するために、第１のスライダ４２および第２のスライダ４４は、支持部３０に形成された凹部と係合することが可能な突出部を備えることができる。突出部と凹部との協力は、第１のスライダ４２および第２のスライダ４４、延いては第１の取得電極３２、第２の取得電極３４および第３の取得電極３３を所定の位置に置くことを可能にする。代わりに、突出部を上側支持部３０上に、凹部を第１のスライダ４２および第２のスライダ４４上に設けることができる。さらに代わりに、第１の取得電極３２、第２の取得電極３４および第３の取得電極３３が所定の位置を採用することを許容する任意のシステムを適合させることが可能である。
【００５２】
第１の取得電極３２、第２の取得電極３４および第３の取得電極３３の位置を矢状面Ｐｓ内で調節するために、前側矢状部分１８および後側矢状部分２０は、互いに対して矢状面Ｐｓ内に含まれた方向に変位されるように構成される。前側矢状部分１８および後側矢状部分２０の互いに対する変位が第２の調節手段３８を構成する。第１の取得電極３２、第２の取得電極３４および第３の取得電極３３の矢状面Ｐｓ内の位置決めと並行して、第２の調節手段３８が取得デバイス１０を矢状面Ｐｓ内でユーザ１２の頭部に適合できるようにする。特に、第２の調節手段３８は、矢状ロッド５０と、後側支持部１６において後側矢状部分２０の内部に形成された矢状ハウジング５２とを備える。矢状ロッド５０は、前側矢状部分１８および後側矢状部分２０を互いに対して変位させるために矢状ハウジング５２の内部で摺動することが可能である。矢状ロッド５０は、２つのロッド要素によって形成できる。図２〜図４の実施形態では、矢状ロッド５０が前側矢状部分１８と統合される。代わりに、前側矢状部分１８から突き出た矢状ロッド５０を形成できる。矢状ロッド５０および矢状ハウジング５２の代わりとして、前側矢状部分１８および後側矢状部分２０を互いに対して変位できるようにする任意のシステムによって第２の調節手段３８を形成できる。
【００５３】
前側矢状部分１８および後側矢状部分２０の互いに対する位置の調節を許容するために、第２の調節手段３８は、矢状ロッド５０の位置の矢状調節のための手段５３も備える。矢状調節手段５３は、前側支持部１４を後側支持部１６に対して変位させるように矢状ロッド５０を矢状ハウジング５２の内部で摺動させるために矢状ロッド５０と係合することが可能である。矢状調節手段５３は、矢状ロッド５０を矢状ハウジング５２の内部で摺動させるために自転中に変位できるボタンの形を採用する。ターンボタンは、第２の調節手段３８が容易に把持されることを許容する。ターンボタンの代わりとして、矢状調節手段５３は、矢状ハウジング５２の内部で矢状ロッド５０を摺動できるようにする任意の形とすることができる。調節手段５３は、ここでは直接的な調節手段として記載される。
【００５４】
矢状ロッド５０を矢状ハウジング５２に対して所定の位置に保持するために、第２の調節手段３８は、矢状ロッド５２上に形成された少なくとも１つの突出部および矢状調節手段５３上に形成された少なくとも１つの凹部を備えることができる。突出部および凹部は、矢状ロッド５２を矢状ハウジング５２に対して所定の位置に保持するために互いに係合することが可能である。代わりに、突出部を矢状調節手段５３上に形成し、凹部を矢状ロッド５２上に形成することができる。
【００５５】
もっぱら想定し得るこの実施形態の代わりにおいては、第２の調節手段３８を前側横断部分２２の高さに、および／または後側横断部分２４の高さに配置できて、２つの横断部分２２、２４のうちの少なくとも１つが前額部分を介して上側支持部３０に連結される。調節手段３８は、そのときには、上側支持部３０を矢状面内で移動可能にするために、上側支持部３０に連結された横断部分２２、２４と前額部分との連接部に位置する。
【００５６】
この実施形態では、調節手段３８は、自転中に変位できるボタンとすることができる、調節手段も備えることができて、この調節手段は、少なくとも１つの電極を担う、上側支持部３０を矢状面内で移動可能にするように、前額部分と上側支持部３０に連結された横断部分２２、２４との連接部の高さにおいてある程度の自由度を提供する。
【００５７】
この代わりの変形形態によれば、調節手段は、上側支持部３０の予め確立された調節位置を個人の矢状面内に定義できる。随意的に、この代わりの実施形態によれば、前側支持部１４および後側支持部１６は、必ずしも存在しないことが可能である。
【００５８】
加えて、取得デバイス１０は、第１の取得電極３２、第２の取得電極３４および第３の取得電極３３の位置の横断面Ｐｔ内における調節を許容するために第３の調節手段４０を備える。第３の調節手段４０は、前側横断部分２２および後側横断部分２４が互いに対して横断面Ｐｔ内に含まれる方向に変位されることを許容する。第１の取得電極３２、第２の取得電極３４および第３の取得電極３３の横断面Ｐｔ内の位置決めと並行して、第３の調節手段４０は、取得デバイス１０を横断面Ｐｔ内でユーザ１２の頭部に、すなわち、ユーザ１２の頭部の外周に適合させることを可能にする。図４を参照すると、第３の調節手段４０は、ユーザ１２の頭部の両側に前側支持部１４によって形成された第１の横断ロッド５４および第２の横断ロッド（図示されない）を備える。第３の調節手段４０は、後側支持部１６に形成されて、それぞれ、第１および第２の横断ロッド５４がその中で摺動することが可能な第１および第２の横断ハウジング（図示されない）も備える。取得デバイス１０は、第１の横断ロッド５４および第１の横断ハウジングが、取得デバイス１０の第１の側、ここではユーザ１２の頭部の右側の高さに形成され、第２の横断ロッドおよび第２の横断ハウジングが、取得デバイス１０の第１の側と反対の第２の側、ここではユーザ１２の頭部の左側に形成されるように、形成される。
【００５９】
第２の調節手段３８と同様に、第３の調節手段４０は、前側横断部分２２および後側横断部分２４の互いに対する位置調節を許容するために第１の横断ロッド５４および第２の横断ロッドの位置の横断調節手段６２を備えることができる。横断調節手段６２は、そのときには、前側支持部１４を後側支持部１６に対して変位させるようにそれらをそれぞれ第１および第２の横断ハウジングの内部で摺動させるために第１の横断ロッド５４および第２の横断ロッドと係合することが可能である。横断調節手段６２は、第１の横断ロッド５４および第２の横断ロッドをそれぞれ第１および第２の横断ハウジングの内部で摺動させるために自転中に変位できるボタンの形を採用する。調節手段６２は、ここでは直接的な調節手段として記載される。ターンボタンの代わりとして、横断調節手段６２は、第１の横断ロッド５４および第２の横断ロッドを第１および第２の横断ハウジングの内部で摺動できるようにする任意の形とすることができる。加えて、第１のロッド５４および第２のロッドの組み合わせた摺動の代わりとして、第１のロッド５４および第２のロッドのうちの１つのみを摺動させるように横断調節手段６２を構成できる。
【００６０】
代わりの実施形態によれば、調節は、第１の横断ロッド５４および第２の横断ロッドを第１および第２の横断ハウジングの内部で、例えば、ユーザ１２が単に圧力をかけることによって、手動で摺動させることを可能にする。従って、第１の横断ロッド５４および第２の横断ロッドがそのときには第１および第２の横断ハウジングの内部を貫通して、いずれも各々の支え部分４６の高さで後側横断部分２４の両側に延びる。第２のフェーズにおいて、先に手動で開始された移動を継続させるために横断調節手段６２を用いることができる。代わりに、やはり第２のフェーズにおいて、第１および第２の横断ロッドを第１および第２の横断ハウジングの内部の所定の位置に保持するためにのみ、随意的に、横断調節手段６２が用いられてよい。後者の場合には、調節手段６２は、間接的な調節手段として記載される。
【００６１】
第１の横断ロッド５４および第２の横断ロッドを第１および第２の横断ハウジングに対して所定の位置に保持するために、第３の調節手段４０は、第１の横断ロッド５４および第２の横断ロッド上に形成された少なくとも１つの突出部ならびに横断調節手段６２上に形成された少なくとも１つの凹部を備えることができる。突出部および凹部は、第１の横断ロッド５４および第２の横断ロッドを第１および第２の横断ハウジングに対して所定の位置に保持するために互いに係合することが可能である。代わりに、突出部を横断調節手段６２上に形成し、凹部を矢状ロッド５２上に形成することができる。取得デバイス１０の全く同じユーザ１２上での繰り返し使用を容易にするために、第１の調節手段３６、第２の調節手段３８および第３の調節手段４０は、第１の調節手段３６、第２の調節手段３８および第３の調節手段４０の調節位置を判定できるようにする目盛りまたは任意のインジケータを備えることができる。調節位置は、例えば、ボタンの角度位置、スライダの直線位置、またはさらにロッドが摺動するハウジングに対するロッドの相対的位置である。
【００６２】
この目的に向けて、第１の取得電極３２、第２の取得電極３４および第３の取得電極３３の位置決めの繰り返しの容易さは、本発明の特定の実施形態によれば、第１の取得電極３２、第２の取得電極３４および第３の取得電極３３がその上に直接的または間接的に配置される上側支持部３０を前側横断部分２２および後側横断部分２４から等距離に配置できるという事実によっても可能になりうる。このように、調節手段５３は、前側横断部分２２を、第１の取得電極３２、第２の取得電極３４および第３の取得電極３３がその上に直接的または間接的に配置される上側支持部３０に対して等距離に、後側横断部分２４へ近付けるかまたはそれから遠ざけることを可能にする。この近付けるかまたは遠ざける移動は、前側支持部１４の前側矢状部分１８を後側支持部１６の後側矢状部分２０内に入れ子にすることによって提供される。前側横断部分２２および後側横断部分２４から等距離の上側支持部３０のこの位置決めは、それぞれ、部位Ｃ３、Ｃ４およびＣｚに実質的に対向した第１の取得電極３２、第２の取得電極３４および第３の取得電極３３の配置を許容する利点を有する。
【００６３】
ユーザ１２の頭部上の取得デバイス１０の保持を改善するために、取得デバイス１０は、取得デバイス１０がユーザ１２の頭部上に配置されたときにユーザ１２の耳に掛かるように構成された支え部分４６も備える。支え部分４６は、前側支持部１４の高さに形成される。この保持をさらに改善するために、取得デバイス１０は、取得デバイス１０をユーザ１２の両耳の上に載せることを可能にする別の支え部分４６を備える。加えて、支え部分４６は、前側支持部１４を位置決めするための基準位置を提供し、この基準位置は、ユーザ１２の、それぞれ、部位Ｃ３およびＣ４における第１の取得電極３２、第２の取得電極３４および／または第３の取得電極３３の満足のいく位置決めを容易にすることができる。そのうえ、ユーザ１２の１つの耳にそれがかかることを許容するその構成によって、支え部分４６は、ユーザの乳様突起の少なくとも１つに対向した基準または受動電極のうちの少なくとも１つの最適な位置決めも許容できる。
【００６４】
後側支持部１６の位置決めを容易にするために、取得デバイス１０は、取得デバイス１０の基準位置を示すことが可能なくぼみ４８も備える。くぼみ４８は、ユーザ１２の頭部の外後頭隆起に対向して、好ましくは、外後頭隆起の高さに位置するイニオンに対向して配置されるように後側支持部１６に形成され、それによって、アーチ形部分１１が矢状面Ｐｓ内に延びることを可能にする。代わりに、くぼみ４８は、第１の取得電極３２、第２の取得電極３４および第３の取得電極３３をユーザ１２の、それぞれ、部位Ｃ３、Ｃ４およびＣｚに位置決めするために取得デバイス１０が基準位置を有することを可能にするその他の形状を採用できる。
【００６５】
支え部分４６およびくぼみ４８は、第１の取得電極３２、第２の取得電極３４および第３の取得電極３３の矢状Ｐｓおよび横断Ｐｔ面内における満足のいく位置決めを保証する、ユーザ１２の形態に適合した後側支持部１６および前側支持部１４の位置決めを許容する。代わりに、ユーザ１２の形態に適した前側支持部１４および後側支持部１６の位置決めも保証するために、支え部分４６を後側支持部１６の高さに形成できて、くぼみ４８、またはより一般的に基準位置のインジケータを前側支持部１４の高さに形成できる。
【００６６】
加えて、取得デバイス１０は、第１の取得電極３２、第２の取得電極３４および第３の取得電極３３に、ならびに適用可能であれば、受動および基準電極によって送信された情報を処理するためにこれらの電極に接続された処理ユニット（図示されない）を備える。処理ユニットは、後側支持部１６の内部に収められ、第１の取得電極３２、第２の取得電極３４および第３の取得電極３３に、ならびに適用可能であれば、受動および基準電極に接続される。
【００６７】
取得デバイス１０の外部の送信を許容するために、取得デバイス１０は、処理ユニットによって処理された情報の送信のためのユニットも備える。送信ユニットは、有線送信を許容するために後側支持部１６上に搭載されたポート６４を備える。代わりに、任意の無線手段による、例えば、ＷｉＦｉ、Ｂｌｕｅｔｏｏｔｈ、赤外線、またはさらに電波による情報の送信を許容するように送信ユニットを構成できる。
【００６８】
処理ユニット、送信ユニットおよび種々の電極への電力供給を許容するために、取得デバイス１０は、電池、例えば、充電式電池も備える。電池の代わりにまたはそれに加えて、取得デバイス１０をグリッドに接続されるように構成できる。取得デバイスは、取得デバイス１０のオンオフスイッチ６６も備える。
【００６９】
本発明の好ましい実施形態によれば、取得デバイス１０は、電池６８の充電状態の、および送信ユニットと取得デバイス１０の外部の情報を受信するためのデバイスとの間の接続７０の存在の、視覚的インジケータを備える。この外部デバイスは、送信ユニットに接続された携帯電話とすることができる。この場合に、処理ユニットは、第１の取得電極３２、第２の取得電極３４および第３の取得電極３３の各々とユーザの頭皮との間の物理的接触の品質に関する情報を携帯電話へ送信するように構成されるのみならず、その後に、確立された物理的接触の前記品質を報告する警告信号を携帯電話が発することを許容するように構成される。
【００７０】
本発明の代わりの実施形態によれば、すなわち、それぞれ、部位Ｃ３、Ｃ４およびＣｚにおける第１の取得電極３２、第２の取得電極３４および第３の取得電極３３の満足のいく位置決めについてユーザ１２に助言するために、警告信号を発するように処理ユニットを構成できる。この警告信号は、可聴または可視とすることができる。加えてまたは代わりに、処理ユニットは、他の任意のタイプの、特に、触覚、嗅覚、または味覚の警告信号を発するのに適することができる。取得デバイス１０に組み込まれた処理ユニットによる警告信号の放出は、外部機器が電極をそれらの所望の位置に配置する必要がないので、前記取得デバイス１０が電極の位置決めに関して他に依存しないことを許容する。
【００７１】
以下に記載される方法によって、取得デバイス１０をユーザ１２の頭部上に位置決めできる。初めに、横断面Ｐｔ内で考慮された、ユーザ１２の頭部の最大周囲長以上の周囲長を環状部分１３が有するように、前側支持部１４が後側支持部１６に対して変位される。言い換えれば、取得デバイス１０をユーザ１２の頭部に被せることができるように、第３の調節手段４０が作動される。次に、支え部分４６がユーザ１２の耳に掛かり、くぼみ４８がユーザ１２の外後頭隆起に対向するように、取得デバイス１０がユーザ１２の頭部上に位置決めされる。環状部分１３がユーザ１２の頭部を横断面Ｐｔ内で把持するように、第３の調節手段４０が再び作動される。この調節が一旦生じると、環状部分１３を最適と考えられる最終位置に固定して、横断面Ｐｔ内でユーザ１２の頭部の周りにしっかりフィットするように、調節手段６２を作動させることができる。アーチ形部分１１が矢状面Ｐｓ内でユーザ１２の頭部の周りにしっかりフィットするように第２の調節手段３８が作動される。第１の取得電極３２、第２の取得電極３４および第３の取得電極３３を前額面Ｐｆ内で位置決めするために、第１の調節手段３６が次に作動される。代わりに、上記の方法のいずれかのステップの前、またはそれと並行して、第１の調節手段３６を作動させることができる。
【００７２】
第１の取得電極３２、第２の取得電極３４および第３の取得電極３３の位置決めを簡易にするために、位置決め方法は、それぞれ、第１の調節手段３６および第２の調節手段３８の第１および第２の調節位置を判定するステップを含むこともできる。その後、第１および第２の調節位置がそれらの再使用を後に許容するために記憶される。
【００７３】
取得デバイス１０がユーザの頭部から取り外され、例えば、別のユーザ１２上での取得デバイス１０の使用の結果として、再調節される。「再調節される（ｄｅａｄｊｕｓｔｅｄ）」が意味するのは、第１および第２の調節位置が記憶された第１および第２の調節位置とは異なるという事実である。
【００７４】
取得デバイス１０が次にユーザ１２の頭部上で交換されるが、記憶された第１および第２の調節位置にそれらを配置するように第１の調節手段３６および第２の調節手段３８が作動される。第１の取得電極３２、第２の取得電極３４および第３の取得電極３３の部位Ｃ３、Ｃ４およびＣｚにおける位置決めがこのように容易になり、加速される。第１の取得電極３２、第２の取得電極３４および第３の取得電極の位置の調節が矢状Ｐｓ、前額Ｐｆおよび横断Ｐｔ面の各々に対して分離しているため、調節位置の判定または定量化が可能となる。
【００７５】
さらに、取得デバイス１０を、とりわけ、以下に提示されるユーザ１２の睡眠を特徴付けるための方法に用いることができる。
【００７６】
睡眠状態において、ユーザ１２の脳波を表す脳活動信号を得るために、第１の取得電極３２、第２の取得電極３４および第３の取得電極３３、ならびに適用可能であれば、基準および受動電極の間の電位における差が測定される。この脳活動信号が処理ユニットによって増幅されてデジタル化される。
【００７７】
浅睡眠相（ノンレム（ＮＲＥＭ：ｎｏｎ−ｒａｐｉｄ  ｅｙｅ  ｍｏｖｅｍｅｎｔ）睡眠のＮ２ステージと呼ばれる相）（Ｄｅ  Ｇｅｎｎａｒｏ＆Ｆｅｒｒａｒａ，２００３；Ｄｅ  Ｇｅｎｎａｒｏ，Ｆｅｒｒａｒａ，Ｃｕｒｃｉｏ，＆Ｃｒｉｓｔｉａｎｉ，２００１）における脳活動信号の９〜１６Ｈｚの周波数範囲において、処理ユニットは、ユーザ１２の睡眠紡錘波の減少範囲を同定する。睡眠紡錘波のこの減少範囲は、１５μＶより大きい振幅および０．５秒と２秒との間に含まれる周期を有する睡眠しているユーザの脳波の周波数を含む。
【００７８】
覚醒状態においては、ユーザ１２の脳波を表す脳活動信号を得るために、第１の取得電極３２、第２の取得電極３４および第３の取得電極３３、ならびに適用可能であれば、基準および受動電極の間の電位における差が取得デバイス１０によって測定される。この脳活動信号が処理ユニットによって増幅されてデジタル化される。
【００７９】
睡眠紡錘波の減少範囲に対応する周波数範囲において、処理ユニットは、次の２つのパラメータ、閾値に対する振幅または密度のうちの少なくとも１つを比較する。
【００８０】
紡錘波の減少範囲に対応する周波数範囲における脳活動信号のパラメータが閾値に達するかまたはそれを超えたときに、警告信号が発せられる。この警告信号は、可聴または可視とすることができる。加えてまたは代わりに、処理ユニットは、他の任意のタイプの、特に、触覚、嗅覚、または味覚の警告信号を、直接的にまたは外部デバイスを通じて、発するのに適することができる。
【００８１】
ユーザ１２は、このように、睡眠の質を向上させる脳波の放出について助言される。
【００８２】
睡眠のこの特徴付けに基づいて、ユーザ１２の睡眠の質を改善するためにニューロフィードバック治療を実施できる。ニューロフィードバックが意味するのは、フィードバック治療によって、ここでは神経または神経学的な、生物活動に影響を与えるように個人を導くことを可能にする技術である。このニューロフィードバック治療は、例えば、個人がリラックスするよう自らを助けて、自分の脳活動を修正するよう自らを促すように個人を訓練することからなる。ニューロフィードバック治療は、従って、所望の脳波を生成するようにユーザ１２に促すことを目的とした訓練を含む。訓練は、特定の警告信号によって所望の脳波の放出に報いる１つ以上のリラクセーションシーケンスおよびエクササイズを含む。
【００８３】
訓練の間に、ユーザ１２が適切な脳波の生成を進展させるように閾値を増加させることができる。訓練の間に、成績が不十分かもしれないユーザ１２のタスクを容易にするために閾値を低下させることもできる。
【００８４】
もちろん、本発明は、記載され、図示される例および実施形態には限定されないが、当業者が到達する範囲内でそれらに対する多くの変形がなされてよい。
【００８５】
例えば、取得デバイス１０は、上側支持部３０を省いてもよい。この場合には、アーチ形部分１１が前額面Ｐｆ内に延びて、第１の取得電極３２、第２の取得電極３４および第３の取得電極３３、ならびに第１の調節手段３６を組み込む。
【００８６】
代わりに、上側支持部３０を、後側矢状部分２０の高さで、後側支持部１６上に搭載するのではなく、前側支持部１４の前側矢状部分１８上に搭載することができる。この場合に、支え部分４６は、後側横断部分２４の高さに形成されて、前側横断部分２２が支え部分４６に対して摺動するように構成される。従って、前側横断部分２２の後側横断部分２４に対する変位が第１の取得電極３２、第２の取得電極３４および第３の取得電極３３の位置の横断面Ｐｔ内における調節を許容する。
【００８７】
加えて、前側支持部１４および後側支持部１６が環状部分１３およびアーチ形部分１１の両方を形成する構成の代わりとして、前側支持部１４が、横断面Ｐｔ内でユーザ１２の頭部の周りにしっかりフィットすることが意図された環状部分１３を形成するために後側支持部１６と係合するのに適するか、または矢状面Ｐｓ内でユーザ１２の頭部の周りにしっかりフィットするために後側支持部１６と係合することが可能であるように、取得デバイス１０を構成できる。これら２つの後者の構成において、取得デバイス１０は、取得デバイス１０をユーザ１２の頭部上で保持するために前側支持部１４および後側支持部１６と係合する追加の支持部を備えることができる。
【００８８】
さらに、図２〜図４に提示される実施形態の代わりまたは追加として、取得デバイス１０は、第１の取得電極３２、第２の取得電極３４および第３の取得電極３３の位置を調節する他の手段を提供できる。例えば、上側支持部３０を、後側矢状部分２０に対して矢状面Ｐｓ内に含まれる方向に変位させることができ、またはユーザ１２の横断面Ｐｔに対して横に延びる軸の周りの回転中に変位させることが可能でありうる。加えて、第１の取得電極３２、第２の取得電極３４および第３の取得電極３３の位置を矢状面Ｐｓおよび前額面Ｐｆ内で調節することを可能にするために、第１のスライダ４２および第２のスライダ４４を上側支持部３０に対して矢状面Ｐｓ内に含まれる方向に変位させることが可能でありうる。
【００８９】
加えて、第１の調節手段３６、第２の調節手段３８および第３の調節手段４０の独立した作動の代わりとして、第１の調節手段３６および第３の調節手段４０のみ、または第２の調節手段３８および第３の調節手段４０のみを独立して作動するように構成できる。
【００９０】
本記載は、例として示され、本発明を決して限定するものではない。特に、本発明は、国際１０−２０法の部位の少なくともいずれか１つの高さにおける少なくとも１つの電極の位置の調節に関し、それゆえに、対象となる部位としてＣ３、Ｃ４および／またはＣｚを用いた睡眠障害あるいは多動有りまたは無しの注意欠陥障害（ＡＤＨＤ）の研究の状況には限定されない。
【００９１】
本発明は、例えば、部位Ｃｐｚ、ＦＴ７および／またはＴ７、もしくはＴ８のような対象となる他の部位を用いた記憶障害の研究の状況に及ぶ。後側支持部１４、前側支持部１６および上側支持部３０の一方および／または他方に直接的または間接的に連結された、それらの位置（単数または複数）における電極（単数または複数）を支持するために追加の支持部が必要とされてよい。
【図１】
2020501625.tif 000003
【図２】
2020501625.tif 000004
【図３】
2020501625.tif 000005
【図４】
2020501625.tif 000006
【図５】
2020501625.tif 000007
【国際調査報告】
2020501625.tif 000008
2020501625.tif 000009
2020501625.tif 000010
2020501625.tif 000011
2020501625.tif 000012
2020501625.tif 000013